(57)【要約】【課題】  建物の構造材へサンドイッチパネルを強固に取り付けることができるパネルの取付構造を提供する。【解決手段】  筒体５の一端にフランジ部６を突設すると共に筒体５の他端の内面にネジ部７を設ける。一方の金属板２を貫通する取付孔８をサンドイッチパネル３に形成する。筒体５を取付孔８に装着すると共にフランジ部６を取付孔８の孔縁部に配置する。筒体５に成形用治具を挿入すると共にフランジ部６を取付孔８の孔縁部に押さえつけながら成形用治具をネジ部７に螺合することによって、フランジ部６とネジ部７との間において筒体５を圧縮して膨出して係止部９を形成する。フランジ部６と係止部９との間で取付孔８の孔縁部の金属板２を挟持して筒体５をサンドイッチパネル３に固定する。取付用ボルト１０を構造材４に連結して筒体５のネジ部７に螺合することによってサンドイッチパネル３を構造材４に取り付ける。【選択図】  図１
2005090137.tif 000002
【特許請求の範囲】
【請求項１】
二枚の金属板の間に芯材を充填して形成されるサンドイッチパネルを建物の構造材に取り付けるにあたって、筒体の一端にフランジ部を突設すると共に筒体の他端の内面にネジ部を設け、一方の金属板を貫通する取付孔をサンドイッチパネルに形成し、筒体を取付孔に装着すると共にフランジ部を取付孔の孔縁部に配置し、筒体に成形用治具を挿入すると共にフランジ部を取付孔の孔縁部に押さえつけながら成形用治具をネジ部に螺合することによって、フランジ部とネジ部との間において筒体を圧縮して膨出して係止部を形成し、フランジ部と係止部との間で取付孔の孔縁部を挟持して筒体をサンドイッチパネルに固定し、取付用ボルトを構造材に連結して筒体のネジ部に螺合することによってサンドイッチパネルを構造材に取り付けて成ることを特徴とするパネルの取付構造。
【請求項２】
フランジ部と係止部との間に補強板を設けて成ることを特徴とする請求項１に記載のパネルの取付構造。
【発明の詳細な説明】
【技術分野】
【０００１】
本発明は、建物の壁や天井を形成する際に用いられるパネルの取付構造に関するものである。
【背景技術】
【０００２】
従来より、二枚の金属板の間に芯材を充填して形成されるサンドイッチパネルを建物の構造材に取り付けて壁や天井を形成することが行われており、例えば、特許文献１にはサンドイッチパネルを用いて形成される耐力壁の構造が記載されている。
【０００３】
しかし、特許文献１に記載の耐力壁の構造では、サンドイッチパネルをテクスやバルブタイトなどの固定具で構造材に取り付けているために、通常の家屋において使用する場合には充分な取付強度を有するが、ビルの高層部などの風圧が大きくなる部分で使用する場合では取付強度が不足する恐れがあった。
【特許文献１】特開２００２−２１３０３３号公報（特許請求の範囲等）
【発明の開示】
【発明が解決しようとする課題】
【０００４】
本発明は上記の点に鑑みてなされたものであり、建物の構造材へサンドイッチパネルを強固に取り付けることができるパネルの取付構造を提供することを目的とするものである。
【課題を解決するための手段】
【０００５】
本発明の請求項１に係るパネルの取付構造は、二枚の金属板１、２の間に芯材１２を充填して形成されるサンドイッチパネル３を建物の構造材４に取り付けるにあたって、筒体５の一端にフランジ部６を突設すると共に筒体５の他端の内面にネジ部７を設け、一方の金属板２を貫通する取付孔８をサンドイッチパネル３に形成し、筒体５を取付孔８に装着すると共にフランジ部６を取付孔８の孔縁部に配置し、筒体５に成形用治具を挿入すると共にフランジ部６を取付孔８の孔縁部に押さえつけながら成形用治具をネジ部７に螺合することによって、フランジ部６とネジ部７との間において筒体５を圧縮して膨出して係止部９を形成し、フランジ部６と係止部９との間で取付孔８の孔縁部の金属板２を挟持して筒体５をサンドイッチパネル３に固定し、取付用ボルト１０を構造材４に連結して筒体５のネジ部７に螺合することによってサンドイッチパネル３を構造材４に取り付けて成ることを特徴とするものである。
【０００６】
この発明にあっては、フランジ部６と係止部９との間で取付孔８の孔縁部の金属板２を挟持することによって筒体５をサンドイッチパネル３に強固に取り付けることができ、この筒体５に取付用ボルト１０を螺合してサンドイッチパネル３を構造材４に取り付けることによって構造材４へサンドイッチパネル３を強固に取り付けることができるものである。
【０００７】
また、本発明の請求項２に係るパネルの取付構造は、請求項１に加えて、フランジ部６と係止部９との間に補強板１１を設けて成ることを特徴とするものである。
【０００８】
この発明にあっては、取付孔８の孔縁部の金属板２を補強板１１で補強することができ、筒体５を通じて取付孔８の孔縁部（周縁部）の金属板２に大きな荷重がかかっても金属板２が破損しにくくなるものである。
【発明を実施するための最良の形態】
【０００９】
以下、本発明を実施するための最良の形態を説明する。
【００１０】
本発明で用いるサンドイッチパネル３は図２に示すように、二枚の金属板１、２の間に芯材１２を充填して接着して形成されるものである。上記の金属板１、２はステンレス鋼板、亜鉛めっき鋼板、塗装鋼板、ガルバニウム鋼板（亜鉛−アルミニウムめっき鋼板）などで形成されており、上記の芯材１２はフェノールフォームやウレタンフォームなどの樹脂発泡体やグラスウールやロックウールなどの無機繊維体などで形成されているが、これらのものに限定されるものではない。また、金属板１、２の厚みは０．３〜１ｍｍ、芯材１２の厚みは１５〜２００ｍｍとすることができるが、これらに限定されるものではない。さらに、サンドイッチパネル３としてはその上端部が嵌合凸部２０として、下端部が嵌合凹部２１としてそれぞれ形成されたものを用いることができ、この場合、上下に隣接するサンドイッチパネル３、３を嵌合凸部２０と嵌合凹部２１の嵌合により接続することができるものである。また、サンドイッチパネル３の上端には嵌合凸部２０の屋内側に補強板取付片４０が突設されていると共にサンドイッチパネル３の下部には嵌合凹部２１の屋内側に収納凹部４１が設けられている。上記の嵌合凸部２０、嵌合凹部２１、補強板取付片４０及び収納凹部４１はサンドイッチパネル３の幅方向（横方向）の略全長に亘って設けられている。また、凹凸嵌合が不要であれば嵌合凸部２０と嵌合凹部２１とを設ける必要はない。このようなサンドイッチパネル３としては具体的には、日鉄鋼板（株）製のイソバンド（登録商標）やイソダッハ（登録商標）を用いることができる。
【００１１】
本発明ではサンドイッチパネル３を取り付けるにあたってネジリベット６０を用いる。ネジリベット６０は真鍮などの金属材料で形成されるものであって、図３（ａ）（ｂ）に示すように、両端が開口する円筒状の筒体５と、筒体５の一端の外周の全周に亘って突設されるフランジ部６と、フランジ部６を設けた側と反対側の筒体５の他端において筒体５の内側面に形成されるネジ部（雌ネジ）７とを備えて形成されるものである。また、フランジ部６とネジ部７との間における筒体５の一部分が圧縮部２２として形成されている。尚、本発明に用いるネジリベット６０の大きさは例えば、筒体５の外径は８〜１４ｍｍ、筒体５の内径は６〜１２ｍｍ、筒体５の長さは１２〜２４ｍｍ、フランジ部６の筒体５の外周面からの突出長さは１〜３ｍｍ、圧縮部２２の長さは１２〜２４ｍｍとすることができるが、特にこれらに限定されるものではない。
【００１２】
そして、このようなネジリベット６０を用いて上記のサンドイッチパネル３を施工するにあたっては次のようにして行う。まず、図４（ａ）に示すように、サンドイッチパネル３の上端と下端とにおいて屋内側面に補強板１１を設ける。補強板１１は、例えば、厚み０．８〜１．６ｍｍのステンレス鋼板等の金属板などを用いることができ、サンドイッチパネル３の屋内側面となる一方の金属板２の表面にビスなどの固定具４３で取り付けられるものである。図６に示すように、サンドイッチパネル３の上端に設けられる補強板１１にはその上部に略逆Ｕ字状に折り返されて形成される引っ掛け部４４が設けられており、引っ掛け部４４はサンドイッチパネル３の補強板取付部４０に引っ掛けて係止されている。また、サンドイッチパネル３の下端に設けられる補強板１１にはその下部に収納凹部４１の形状にほぼ沿って曲げ形成される収納部４５が設けられており、収納部４５はサンドイッチパネル３の収納凹部４１に収納されている。補強板１１はサンドイッチパネル３の屋内側面の全面に設ける必要はなく、サンドイッチパネル３にネジリベット６０を取り付ける周辺部分等に設ければよい。
【００１３】
次に、図４（ｂ）に示すように、補強板１１を設けたサンドイッチパネル３にネジリベット６０を取り付けるための複数個の取付孔８を形成する。取付孔８は補強板１１と一方の金属板２とを厚み方向に貫通して芯材１２に達するように形成するが、屋外側面となる他方の金属板１の表面には取付孔８は開口しないようにする。また、取付孔８の孔径は筒体５の外径よりもやや大きいが、フランジ部６の外径よりも小さく形成されるものである。また、取付孔８の深さは筒体５の長さよりも大きく形成されている。
【００１４】
次に、図４（ｃ）に示すように、補強板１１の表面側から各取付孔８にネジリベット６０を装着する。この時、フランジ部６は取付孔８に差し込まれずに取付孔８の孔縁部（開口周縁部）における補強板１１の表面に当接された状態となり、フランジ部６以外の筒体５の部分が取付孔８に差し込まれるものである。次に、図５（ａ）に示すように、筒体５の内側に成形用治具としてネジ回し具２５を挿入すると共にネジ回し具２５の先部に設けた雄ネジ部２６をネジリベット６０のネジ部７に螺合する。雄ネジ部２６をネジ部７に螺合する際には、取付孔８の孔縁部の補強板１１の表面にフランジ部６を押し付けて当接した状態に保持しながらネジ回し具２５を筒体５に差し込んで行くように移動させる。
【００１５】
そして、ネジ部７の略全長に亘って雄ネジ部２６を螺合させた後、フランジ部６を取付孔８の孔縁部に押さえつけながら、すなわち、取付孔８の孔縁部の補強板１１の表面にフランジ部６を押し付けて当接した状態に保持しながら、且つネジ回し具２５を筒体５に対して差し込んで行かないように支持しながら、ネジ部７に対して雄ネジ部２６をさらに螺合していく。このようにしてネジ部７に対して雄ネジ部２６を螺合していくことによって、ネジ部７がフランジ部６側に引き寄せられて圧縮部２２がネジ部７とフランジ部６の間で圧縮されることになり、これにより、圧縮部２２が筒体５の外方に向かって押し潰されて膨出し、この結果、筒体５の外周の全長に亘って係止部９が形成されることになる。尚、係止部９を形成した後、ネジ回し具２５を逆回転することにより、ネジ回し具２５を筒体５から外すことができる。
【００１６】
上記のように形成される係止部９は取付孔８の孔縁部（開口周縁部）において金属板２の芯材１２側の面に当接するものであり、これにより、図５（ｃ）に示すように、フランジ部６と係止部９との間で取付孔８の孔縁部における金属板２と補強板１１とを表裏から挟持することができてネジリベット６０をサンドイッチパネル３に強固に取り付けることができるものである。尚、上記ではサンドイッチパネル３の補強板１１を設けた部分にネジリベット６０を取り付ける方法について説明したが、サンドイッチパネル３の補強板１１を設けていない部分にもネジリベット６０を取り付けることができる。例えば、サンドイッチパネル３の側部には補強板１１を設けていないので、金属板２に直接ネジリベット６０が取り付けられるものであり、この場合、補強板１１を使用しない以外は上記と同様にしてネジリベット６０を取り付けることができる。
【００１７】
本発明のパネルの取付構造は、上記のようにネジリベット６０を固着したサンドイッチパネル３を建物の構造材４に取り付けて形成するものである。図７に示す例では、建物の構造材４である断面略ロ字状等の縦胴縁３１などの壁下地の屋外側に複数枚のサンドイッチパネル３を縦横に並べて配置することによって壁（外壁）を形成したものである。尚、図６では縦胴縁３１の一部を一点鎖線で示す。
【００１８】
縦方向に隣接して並設されるサンドイッチパネル３は凹凸嵌合により接続されるものである。すなわち、下側のサンドイッチパネル３の嵌合凸部２０と上側のサンドイッチパネル３の嵌合凹部２１とを嵌合することにより上下に隣接するサンドイッチパネル３が接続されて配置されるものであり、この場合、嵌合凹部２１の底面に設けたパッキン３３が嵌合凸部２０の先端に密着して水密性を高くすることができるものである。また、上下に隣接するサンドイッチパネル３を接続すると、下側のサンドイッチパネル３の補強板取付部４０が上側のサンドイッチパネル３の収納凹部４１に嵌り込むと共に、下側のサンドイッチパネル３に設けた補強板１１と上側のサンドイッチパネル３に設けた補強板１１とが上下に並んで配置されることになる。
【００１９】
また、横方向に隣接して並設されるサンドイッチパネル３はその側端部の形状によって接続方法が異なるものである。すなわち、サンドイッチパネル３の側端部に一方の金属板（屋外側面の金属板）１の側端部で形成される目地片３０が上下方向の略全長に亘って突設されている場合は、図８（ａ）に示すように、左右に隣接するサンドイッチパネル３は目地片３０の先端が重なるように配置し、目地片３０の屋外側に変性シリコーン等のシーリング材４７を設けると共に目地片３０の屋内側にセラミックファイバーなどのバックアップ材４６を設けることができる。また、図８（ｂ）に示すように、サンドイッチパネル３の側端面を両方の金属板１、２の側端部の折り曲げ部分（箱折）で被覆している場合は、左右に隣接するサンドイッチパネル３の間の目地部分にガスケット４８を全長に亘って配置することができる。このガスケット４８は工場等でサンドイッチパネル３に予め取り付けておくようにする。
【００２０】
そして、サンドイッチパネル３を建物の構造材４である縦胴縁３１に取り付けるにあたっては、まず、サンドイッチパネル３の略中央部に設けた補強板１１を縦胴縁３１の屋外側面に当接する。この時、上記のように、上下に接続されているサンドイッチパネル３のそれぞれに設けた補強板１１が上下に並設されている。次に、図６に示すように、縦胴縁３１の屋内側から断面略ハット状の取付具４９を近づけ、取付具４９の断面略コ字状の取着部５０の内側に縦胴縁３１を挿入すると共に取着部５０の屋外側端部に設けた取着片５１を補強板１１の表面（屋内側面）に当接させる。次に、取着片５１に設けたボルト孔５２にワッシャ５３を介して屋内側から取付用ボルト１０を挿入すると共に、取着片５１の屋外側に突出した取付用ボルト１０の先部を補強板１１の表面に露出するネジリベット６０のネジ部７に螺合することによって、縦胴縁３１に連結する取付用ボルト１０にてサンドイッチパネル３を縦胴縁３１に取り付けることができる。
【００２１】
また、サンドイッチパネル３の側部においては、縦胴縁３１の側面に設けた断面略Ｌ字状の固着具（アングルピース）３２の屋外側にサンドイッチパネル３を配置し、固着具３２に取付用ボルト１０を屋内側から貫通させて設けると共に固着具３２の屋外側に突出した取付用ボルト１０の先部をサンドイッチパネル３の側部に設けた筒体５のネジ部７に螺合することによって、縦胴縁３１に連結する取付用ボルト１０にてサンドイッチパネル３を縦胴縁３１に取り付けることができる。
【００２２】
上記ではサンドイッチパネル３として平板状のものを例示したが、これに限らず、図９に示すように、サンドイッチパネル３としては屋内側面に横方向に長い複数本の突条５５を設けたものを用いることができる。この場合、補強板１１は突条５５を跨ぐようにしてサンドイッチパネル３にビス等の固定具４３で取り付けられる。また、ネジリベット６０は突条５５の頂面部分に取り付けられるものである。そして、平板状のサンドイッチパネル３の場合と同様にして、突条５５を設けたサンドイッチパネル３は取付具４９で建物の構造材４に取り付けることができる。
【００２３】
上記では建物の構造材４が壁下地である場合について説明したが、これに限らず、野縁などの天井下地を構造材４とし、これにサンドイッチパネル３を上記と同様にして取り付けることによって天井を形成することができる。
【図面の簡単な説明】
【００２４】
【図１】本発明の実施の形態の一例を示し、図７におけるＢ−Ｂ断面を示す断面図である。
【図２】同上のサンドイッチパネルの一例を示す斜視図である。
【図３】同上のネジリベットの一例を示し、（ａ）は斜視図、（ｂ）は断面図である。
【図４】同上のネジリベットの取り付け工程の一例を示し、（ａ）乃至（ｃ）は断面図である。
【図５】同上のネジリベットの取り付け工程の一例を示し、（ａ）乃至（ｃ）は断面図である。
【図６】同上の分解斜視図である。
【図７】同上の正面図である。
【図８】（ａ）（ｂ）は図７のＡ−Ａ断面の一例を示す断面図である。
【図９】同上の他の実施の形態を示す斜視図である。
【符号の説明】
【００２５】
１  金属板
２  金属板
３  サンドイッチパネル
４  構造材
５  筒体
６  フランジ部
７  ネジ部
８  取付孔
９  係止部
１０  取付用ボルト
１１  補強板
【図１】
2005090137.tif 000003
【図２】
2005090137.tif 000004
【図３】
2005090137.tif 000005
【図４】
2005090137.tif 000006
【図５】
2005090137.tif 000007
【図６】
2005090137.tif 000008
【図７】
2005090137.tif 000009
【図８】
2005090137.tif 000010
【図９】
2005090137.tif 000011